(57)【特許請求の範囲】
【請求項１】
受信状態に応じてダイバーシティ動作を行うテレビジョン受信機であって、
受信信号からコンポジットビデオ信号を復調する復調手段と、
テレビジョン方式の１つを指定する指定手段と、
前記コンポジットビデオ信号から垂直同期信号の発生を検出し検出信号を出力する検出手段と、
前記検出手段から出力される検出信号を遅延させる遅延手段と、
前記指定手段により指定されたテレビジョン方式に応じた遅延時間を前記遅延手段に設定する設定手段と、
前記遅延手段により遅延された検出信号に基づきアンテナ選定処理を起動する制御手段と、
を備えたことを特徴とするテレビジョン受信機。
【請求項２】
前記検出手段は、
前記コンポジットビデオ信号から同期分離されて得られる信号の低域成分を通過させるローパスフィルタと、
前記ローパスフィルタの出力を基準値と比較する比較手段と、
を備えることを特徴とする請求項１記載のテレビジョン受信機。
【請求項３】
前記指定手段により指定されるテレビジョン方式は、ＮＴＳＣ方式及びＰＡＬ方式を含み、
前記設定手段は、前記遅延時間を、ＮＴＳＣ方式が指定された場合の方がＰＡＬ方式が指定された場合よりも１／（２ｆH ）（ｆH は前記コンポジットビデオ信号の水平同期周波数）だけ長く設定することを特徴とする請求項１または２記載のテレビジョン受信機。
【発明の詳細な説明】
【０００１】
【発明の属する技術分野】
本発明は、テレビジョン受信機に関する。本発明はまた、ダイバーシティ機能を有するテレビジョン受信機に関する。
【０００２】
【従来の技術】
今日、テレビジョン方式は種々のものが実用化されているが、一般に製品化されているテレビジョン受信機は、特定のテレビジョン方式に対応した当該テレビジョン方式専用の受信機として構成されたものである。従って、例えばＰＡＬ方式を採る欧州各国にはＰＡＬ方式テレビジョン受信機を製品化し出荷する一方、ＮＴＳＣ方式を採る日本国内や米国にはＮＴＳＣ方式テレビジョン受信機を製品化し出荷する、といったように、初めから各方式毎にテレビジョン受信機を製造しかつ提供するようにしている。
【０００３】
しかしながら、このように各方式毎にテレビジョン受信機を提供する形態は、しばしばコストの上昇を招くものであり、製品価格を抑えるのに不利となっている。故に、出来る限り各方式受信機の構成部品ないしは製造工程の共用化を図ることが重要となる。
一方、移動体例えば車両において設置または使用される車載テレビジョン受信機などは、耐マルチパス方式としてのダイバーシティを行う機能を持ち合わせ、受信環境への自動的な追従動作を実現している。
【０００４】
しかしながら、ＰＡＬ方式テレビジョン受信機とＮＴＳＣ方式テレビジョン受信機とでは、受信するビデオフォーマット信号が異なり、これに伴いダイバーシティ動作を行うための処理も変えなければならないので、ダイバーシティ機能を有するテレビジョン受信機において上述したような方式間における部品等の共用化が容易ではない。
【０００５】
詳述するに、ＰＡＬ方式ビデオフォーマット信号のフィールド周波数は５０［Ｈｚ］，水平周波数は１５．６２５［ｋＨｚ］であるのに対し、ＮＴＳＣ方式ビデオフォーマット信号のフィールド周波数は５９．９４［Ｈｚ］，水平周波数は１５．７３４［ｋＨｚ］であるので、両者において受信したビデオフォーマット信号とダイバーシティ動作との同期合わせをするための条件が異なる。
【０００６】
特にＰＡＬ方式ビデオフォーマット信号の垂直同期信号の持続期間長がＮＴＳＣ方式ビデオフォーマット信号のそれと、無視できないほどに相違しているので、垂直同期信号の検出に基づいてダイバーシティ動作のタイミングを生成する一般の処理では、どちらの方式においても一定のタイミングでダイバーシティ動作を行わせることが困難となっている。
【０００７】
【発明が解決しようとする課題】
よって本発明は、上述した点に鑑みてなされたものであり、その目的とするところは、部品や製造工程の共用化を図ることができかつ簡単にして各テレビジョン方式のビデオフォーマット信号に適合した動作を行うことのできるテレビジョン受信機を提供することである。
【０００８】
【課題を解決するための手段】
本発明による受信機は、受信状態に応じてダイバーシティ動作を行うテレビジョン受信機であって、受信信号からコンポジットビデオ信号を復調する復調手段と、テレビジョン方式の１つを指定する指定手段と、前記コンポジットビデオ信号から垂直同期信号の発生を検出し検出信号を出力する検出手段と、前記検出手段から出力される検出信号を遅延させる遅延手段と、前記指定手段により指定されたテレビジョン方式に応じた遅延時間を前記遅延手段に設定する設定手段と、前記遅延手段により遅延された検出信号に基づきアンテナ選定処理を起動する制御手段と、を備えたことを特徴としている。
【０００９】
上記受信機において、前記検出手段は、前記コンポジットビデオ信号から同期分離されて得られる信号の低域成分を通過させるローパスフィルタと、前記ローパスフィルタの出力を基準値と比較する比較手段と、を備えるようにすることができる。
また、上記受信機において、前記指定手段により指定されるテレビジョン方式は、ＮＴＳＣ方式及びＰＡＬ方式を含み、前記設定手段は、前記遅延時間を、ＮＴＳＣ方式が指定された場合の方がＰＡＬ方式が指定された場合よりも１／（２ｆH ）（ｆH は前記コンポジットビデオ信号の水平同期周波数）だけ長く設定するようにすることもできる。
【００１１】
【発明の実施の形態】
以下、本発明の実施の形態を図面を参照しつつ詳細に説明する。
図１は、本発明による一実施例のダイバーシティ型テレビジョン受信機の概略構成を示している。
図１において、この受信機は、例えば車載用として使用可能であり、空間ダイバーシティを実現させるための４つの受信アンテナＡＮＴ1〜ＡＮＴ4を備え、各アンテナは切替器（ＲＦ−ＳＷ）１に電気的に結合されている。
【００１２】
切替器１は、４つのアンテナのうちのいずれか１つの受信出力を選択し、選択したアンテナからのＲＦ（Radio Frequency）信号を受信信号としてビデオ信号再生系２に供給する。
ビデオ信号再生系２は、復調手段を担い、切替器１からの受信信号を中間周波数信号に変換するフロントエンドたる同調器（図示せず）と、中間周波数信号を増幅する映像中間周波数信号増幅器２１と、増幅器２１によって増幅された中間周波数信号をＡＭ（Amplitude Modulation）復調してコンポジットビデオ信号を再生するＡＭ検波回路２２とを含む。
【００１３】
コンポジットビデオ信号は、図示せぬ種々の再生回路及び増幅回路を経て表示器としてのＣＲＴ（Cathode-Ray Tube）２ｘに供給される。ＣＲＴ２ｘは、コンポジットビデオ信号に応じた画像表示をなす。表示器としては、ＣＲＴ以外にも液晶ディスプレイ等も適用可能である。
映像中間周波数信号増幅器２１に供給される受信信号には、ビデオ信号の他に音声信号も含まれており、映像中間周波数信号増幅器２１において音声中間周波数信号が取り出されて音声信号再生系３に供給される。
【００１４】
音声信号再生系３は、音声中間周波数信号を増幅する音声中間周波数信号増幅器３１と、増幅器３１によって増幅された中間周波数信号をＦＭ（Frequency Modulation）復調してコンポジット音声信号を再生するＦＭ検波回路３２とを含む。
コンポジット音声信号は、図示せぬ種々の再生回路及び増幅回路を経て音響出力器としてのスピーカ３ｘに供給される。スピーカ３ｘは、コンポジット音声信号に応じた音声出力をなす。
【００１５】
ビデオ信号再生系２からのコンポジットビデオ信号は、クランプ回路４０によって、そのシンクチップの直流（ＤＣ）電位が一定になるように制御される。クランプされた信号は、波形整形回路４１にて所定の基準電圧と比較される。このクランプ回路４０と波形整形回路４１とによりコンポジットビデオ信号から同期信号が分離され、コンポジット同期信号として出力される。
【００１６】
同期分離がなされたコンポジット同期信号は、低域通過フィルタ（ＬＰＦ）６０に供給される。ＬＰＦ６０は、等化パルスによる２ｆH （ｆH は水平同期周波数）の成分を排除するために設けられている。したがってＬＰＦ６０の出力からは、ｆH の周波数成分が得られることとなる。
ＬＰＦ６０から出力されるｆH の成分は、位相同期ループ（ＰＬＬ）の一部を構成する位相比較器６１の一方の入力端に供給される。位相比較器６１は、一方の入力信号と他方の入力信号とを比較し、両者の位相差に応じた位相差信号をローパスフィルタ（ＬＰＦ）６２へ出力する。ＬＰＦ６２を経た位相差信号は、制御信号としてＶＣＯ（Voltage-Controlled Oscillator）６３に供給される。ＶＣＯ６３は、ここでは中心周波数を３２ｆH とし、供給される制御信号に応じてその中心周波数から偏倚させて発振するものとする。その発振出力信号は、マスタークロックとして制御部５に供給される。他方、この発振出力信号は、分周器６４にも供給される。分周器６４は、ＶＣＯ６３からの発振出力信号を１／３２に分周し、ｆH の周波数を有する信号を制御部５及び位相比較器６１の他方の入力端に供給する。位相比較器６１，ＬＰＦ６２，ＶＣＯ６３及び分周器６４は、いわゆる位相同期ループ（ＰＬＬ）を形成し、受信したコンポジットビデオ信号の水平同期信号に同期したクロック信号を生成する。
【００１７】
さらに、波形整形回路４１から出力されるコンポジット同期信号は、反転回路８１にも供給される。反転回路８１によって反転されたコンポジット同期信号は、ローパスフィルタ（ＬＰＦ）８２を介してレベル比較器８３の一方の入力端に供給される。
ＬＰＦ８２の出力信号は、比較器８３にて所定の基準電圧レベルＶr と比較される。比較器８３は、入力信号が基準電圧レベルＶr よりも大なるときにのみ高レベルとなる信号を生成し、これを制御部５に供給する。ＬＰＦ８２は、垂直同期信号ｆv を通過させるように設定されているので、比較器８３にて生成された高レベル信号は、垂直同期信号ｆv と同等の周期を有することになる。このように、反転回路８１，ＬＰＦ８２及び比較器８３によって、受信信号の垂直同期信号が検知される（以下、比較器８３の出力信号を等価垂直同期信号と呼ぶ）。
【００１８】
さらに制御部５には、外部入力切換情報やＰＡＬ／ＮＴＳＣ識別情報などが与えられる。外部入力切換情報は、図示せぬシステム操作部等から得られ、例えば本受信機が１つのソースとして車載ナビゲーションシステムに組み込まれている場合には、他のソース例えばＣＤ−ＲＯＭプレーヤによる地図情報の表示から本受信機によるテレビ放送画像の表示へと切り換わったこと或いはその反対に切り換わったことを示す情報に相当する。
【００１９】
ＰＡＬ／ＮＴＳＣ識別情報は、本受信機がＰＡＬ方式のテレビジョン信号を扱うかＮＴＳＣ方式のテレビジョン信号を扱うかを設定するものであり、例えば図示の如き構成を伴うスイッチ５s によって設定できる。詳述すると、スイッチ５s の一方の端子は、一端に給電される抵抗器の他端に接続され、スイッチ５s の他方の端子は、接地される。抵抗器とスイッチの共通接続点からは、スイッチ５s が開放されたときに高レベルの信号が得られ、スイッチ５s が閉成されたときに低レベルの信号が得られる。したがって、この２状態をＰＡＬ／ＮＴＳＣの識別情報として使用することで制御部５はいずれの方式を取り扱うべきかを検出できる。なお、本実施例では、かかる高レベルの信号をＰＡＬ設定信号と定義し、低レベル信号をＮＴＳＣ設定信号と定義する。
【００２０】
制御部５は、供給された信号及び与えられた情報に基づいて受信機各部の制御を行う。かかる制御には、コンポジットビデオ信号の垂直帰線期間における受信アンテナ選定処理の他、このアンテナ選定処理を起動するためのＱＶパルスを生成するＱＶパルス生成処理などが含まれる。
１．ＱＶパルスの生成処理
図２（ａ）にＮＴＳＣ方式のテレビジョン信号を受信した時のコンポジット同期信号を示し、図２（ｂ）にＰＡＬ方式のテレビジョン信号を受信した時のコンポジット同期信号を示す。両図には、ダイバーシティ動作にとって特に関連深い垂直同期信号及びその前後の部分を示している。
【００２１】
（ａ）と（ｂ）とを比較すると、ＮＴＳＣ信号を受信した時の垂直同期信号の持続期間が、ＰＡＬ方式のテレビジョン信号を受信した時の垂直同期信号の持続期間より、等化パルス１周期分すなわち１／（２ｆH） だけ長いことが分かる。
このことは、両方式に対応可能なダイバーシティ動作を行おうとする場合、この垂直同期信号の持続期間の違いを考慮した制御を行うことが必要になることを意味する。
【００２２】
この点について詳述すると、テレビジョンダイバーシティでは、表示している映像が乱れないようにするために、垂直帰線期間中にアンテナの切換動作を行う。この際、受信レベル（受信電界強度）に応じたペデスタルレベルをアンテナ毎に検出し各検出レベルを互いに比較することで最良の受信状態を呈するアンテナを選定することが多い。
【００２３】
他方、図示したように、垂直帰線期間内に多重放送信号を挿入することも検討されている。
してみれば、アンテナを順次切り換えて、ペデスタルレベルを検出、比較し、良好なアンテナを選定するいわゆる受信アンテナ選定処理は、両方式の互換性を考慮しないのであれば、垂直同期信号の終端から多重放送信号の発生前までの図中Ａの期間内に行えば良いことになる。
【００２４】
また、特別な制御を加えることなく両方式での互換性を保証しようとすると、図中Ｂの期間内で受信アンテナ選定処理を行えば良いのであるが、ランダムノイズやマルチパス等により同期が乱れた場合を考慮してアンテナ選定処理としては余裕をみて予備的に使用する領域（以下、ガード領域と呼ぶ）Ｃをそのアンテナ選定処理の前後に配すると、共通な処理時間はさらに短くなる。
【００２５】
例えば、各アンテナ受信レベルのサンプリング周期を１／（２ｆH ）とし、ガード領域をアンテナ選定処理期間の両サイドから１／（２ｆH ）だけ設けると、ガード領域を設けたことにより±１サンプル分の同期の乱れが生じても該受信レベルのサンプリングを遂行することができるので、アンテナ選定処理に不都合が生じないことになる。
【００２６】
しかしながら、車載用として標準的な４本のアンテナでのダイバーシティ動作を行うためには、４つの１／（２ｆH ）周期が必要なので少なくとも図中黒三角の時点でアンテナ選定処理を開始させなければならず、両方式でアンテナ選定処理の開始点を共通にすることはできない。
他方、図中の垂直同期信号の検出を両方式に共通の検出回路で検出すると、方式に関係なくほぼ同時点、例えば図中白三角の時点で検出されることになる。したがって、垂直同期信号の検出から実際のアンテナ選定処理の開始までの時間は一定にはならない。
【００２７】
したがって、本実施例では、取り扱うテレビジョン方式を設定可能とし、さらに、ＮＴＳＣ信号を取り扱うときはＰＡＬ信号を取り扱うときよりアンテナ選定処理を起動するタイミングを１／（２ｆH ）だけ遅らせるように構成している。図３にその動作原理に従う構成を示す。等価垂直同期信号ｆv から垂直同期信号の到来を検出し、受信アンテナ選定処理を起動するための起点を示すＱＶパルスを生成するＱＶパルス生成回路５０には、等価垂直同期信号ｆv 及びスイッチ５s により得られるＰＡＬ／ＮＴＳＣの識別情報が供給される。
【００２８】
ＱＶパルス生成回路５０は、垂直同期信号検出回路５１と選択回路５２と遅延回路５３及び５４とを有する。
垂直同期信号検出回路５１は、入力される等価垂直同期信号ｆv から垂直同期信号の到来を検出し検出信号を発生する。
選択回路５２は、この発生した検出信号を１／（２ｆH ）だけ遅延させるか否かを選択する選択手段として動作する。この選択は、スイッチ５s より得られるＰＡＬ／ＮＴＳＣの識別情報に基づいてなされる。すなわち、ＰＡＬ方式を示す高レベル信号が選択信号として選択回路５２に入力されたときには、かかる検出信号は、遅延回路５３を介さずにＱＶパルスとして出力され、ＮＴＳＣ方式を示す低レベル信号が選択信号として選択回路５２に入力されたときには、かかる検出信号は、遅延回路５３にて１／（２ｆH ）だけ遅延されたＱＶパルスとして出力される。
【００２９】
その後、選択回路５２または遅延回路５３を経た出力（Ｑパルス）は、遅延回路５４にて実際にアンテナ選定処理を起動するまでの時間分だけ遅延させられＱＶパルスとして出力される。
次に、図４に、具体的な回路例を示す。ＱＶパルス生成回路５０は、４つのＤ型フリップフロップ５００〜５０３と、所定数のＤ型フリップフロップ群５０９と、ＡＮＤ回路５０４と、ＥＸＯＲ回路５０５と、ＮＡＮＤ回路５０６と、ＮＯＴ回路５０７及び５０８とで構成される。
【００３０】
また、クロック生成部６５は、ＶＣＯ６３から入力される３２ｆH のマスタークロックを分周することで１／（２ｆH ）の周期のクロック信号を生成する。ＱＶパルス生成回路５０に入力される等価垂直同期信号ｆv は、この２ｆH のクロック信号の周期でＤフリップフロップ５００〜５０３にてサンプリングされる。このとき、等価垂直同期信号ｆv は、既に比較手段８３にて２値化されているので、各Ｄフリップフロップでは、低レベル（Ｌ）または高レベル（Ｈ）を示すいずれかの信号がサンプリングされることになる。
【００３１】
Ｄフリップフロップ５００〜５０２及びＡＮＤ回路５０４は、垂直同期信号検出回路５１として動作し、ノイズなどによる垂直同期信号の誤検出を抑制するために、連続するサンプルデータを用いて垂直同期信号の発生を検出する。
また、Ｄフリップフロップ５０３は、遅延回路５３として動作するためのものである。さらに、ＥＸＯＲ回路５０５と、ＮＡＮＤ回路５０６と、ＮＯＴ回路５０７は、選択回路５２として動作するためのものである。
【００３２】
以下にその動作を説明する。まず、受信信号がＰＡＬ方式のものとして設定した場合について説明すると、高レベルの信号がＥＸＯＲ回路５０５の一方の入力端に入力されると共にＮＯＴ回路５０７を経た低レベルの信号がＮＡＮＤ回路５０６の一方の入力端に入力される。この結果、ＰＡＬ方式設定時は、Ｄフリップフロップ５０２、５０１、５００の出力が、それぞれＬ、Ｈ、ＨとなったときにＡＮＤ回路５０４から垂直同期信号の検出を示す高レベルのＱパルスが出力される。
【００３３】
一方、受信信号がＮＴＳＣ方式のものとして設定した場合は、低レベルの信号がＥＸＯＲ回路５０５の一方の入力端に入力されると共にＮＯＴ回路５０７を経た高レベルの信号がＮＡＮＤ回路５０６の一方の入力端に入力される。この結果、ＮＴＳＣ方式設定時は、Ｄフリップフロップ５０３、５０２、５０１、５００の出力が、それぞれＬ、Ｈ、Ｈ、ＨとなったときにＡＮＤ回路５０４から垂直同期信号の検出を示す高レベルのＱパルスが出力される。すなわち、ＰＡＬ方式が設定されたときより１／（２ｆH ）だけ遅れてＱパルスが発生するのである。
【００３４】
この様子を示したのが図５の波形図である。
ＰＡＬ方式が選択されたときは、図中の丸印に対応する２ｆH のクロック信号の周期長の期間でＡＮＤ回路５０４の各入力が高レベルとなりＱパルスが出力される。このとき、ＮＡＮＤ回路５０６の出力は常に高レベルであり、ＰＡＬ方式の場合には、Ｄフリップフロップ５０３は垂直同期信号ｆv の検出には利用されていないことになる。
【００３５】
一方、ＮＴＳＣ方式が選択されたときには、図中の三角印に対応する２ｆH のクロック信号の周期長の期間でＡＮＤ回路５０４の各入力が高レベルとなりＱパルスが出力される。このときは、Ｄフリップフロップ５０３も垂直同期信号ｆv の検出に利用されており、結果として垂直同期信号の検出が１クロック周期分すなわち１／（２ｆH ）分の時間だけ遅れてなされることになる。
【００３６】
したがって、ＰＡＬ方式を選択したときより、ＮＴＳＣ方式を選択したときの方が垂直同期信号の発生を示すＱパルスをＤフリップフロップ１個分（１／（２ｆH ）分）だけ遅れて発生させることが可能になる。
発生したＱパルスは、Ｄフリップフロップ群５０９にて所定時間遅延させられ、ＱＶパルスとして出力される。この所定時間は、Ｑパルスの検出から実際にアンテナ選定処理を開始するまでの時間に相当し、本例では、２ｆH のクロック信号の３．５周期分としている。
【００３７】
また、本実施例では、一例として、Ｄフリップフロップ５００〜５０３を使い、Ｄフリップフロップを４個使用した構成を示したが、誤検出を更に抑制したいのであれば、ここで使うＤフリップフロップの数を更に増やすことが有効である。
なお、図４の実施例ではＱパルスの生成の際に１クロック分の遅延を持たせるように構成したが、要は、ＮＴＳＣ方式の場合がＰＡＬ方式に比較してＱＶパルスが１／（２ｆH ）遅れて発生すれば良いのであるから、例えば、Ｑパルスの生成時には方式に応じた遅延を掛けず、ＱＶパルスを生成する際に方式に応じた遅延を掛ける、具体的には使用するＤフリップフロップの数を変更するようにしても同様の効果が得られる。
【００３８】
このようにして得られるＱＶパルスは、以下に説明されるアンテナ選定処理の起点を示すこととなる。
２．アンテナ選定処理
図６は、アンテナ選定処理回路の構成を示している。この回路は、上述したＱＶパルスに応答してダイバーシティ動作を行う機能を担うものであり、制御部５内に形成され、ＡＭ検波回路２２からのコンポジットビデオ信号が供給されこれをサンプリングタイミング毎にディジタル変換するＡ／Ｄ（アナログ／ディジタル）変換器５１０と、このディジタル出力を取り込んで各サンプリングタイミングのディジタル値の評価を行う評価回路５１１と、上記ＱＶパルスが供給されこれに基づいたＡ／Ｄ変換器５１０のためのサンプリングタイミングの発生及びアンテナ切換信号ＳＥＬ１〜ＳＥＬ４の発生を行うとともに評価回路５１１の評価出力が供給されこれに基づいたアンテナ切換信号の発生を行うタイミング生成／アンテナ指定回路５１２とによって構成される。
【００３９】
この回路の各部動作波形は、図７に示される。まず、ＱＶパルスが供給されると、タイミング生成／アンテナ指定回路５１２は、これに応答して図７に示されるように、Ａ／Ｄ変換器５１０に対して４つのアンテナに対応するサンプリングタイミング信号の発生を開始する。
本例においては、かかるＱＶパルスが発生する前にはアンテナＡＮＴ１が選択されていたものとして説明する。まず、図７に示されるように、切替器１へ供給される切換信号ＳＥＬ１がオン、切換信号ＳＥＬ２〜ＳＥＬ４がそれぞれオフとなっている状態で最初のサンプリングタイミング信号がタイミング生成／アンテナ指定回路５１２から発せられる。サンプリングタイミング信号は、常に、選択されたアンテナによる受信コンポジットビデオ信号のペデスタルレベルをサンプルできるようなタイミングで発せられる。
【００４０】
このときＡ／Ｄ変換器５１０には、アンテナＡＮＴ１によって受信されたコンポジットビデオ信号が引き続き供給されており、Ａ／Ｄ変換器５１０は、アンテナＡＮＴ１によって受信されたコンポジットビデオ信号のペデスタルレベルをサンプルして、対応するディジタル信号を出力することとなる（※１参照）。評価回路５１１は、このアンテナＡＮＴ１によるＡ／Ｄ変換器５１０の出力ディジタル信号を取り込み、アンテナの識別データに関連付けて内部メモリにその値を記憶する。
【００４１】
かかるレベルの取り込みに続いて、タイミング生成／アンテナ指定回路５１２は、所定のタイミングで短時間切換信号ＳＥＬ１をオフ、切換信号ＳＥＬ２をオン、切換信号ＳＥＬ３をオフ、切換信号ＳＥＬ４をオフとし、切替器１をしてＡＮＴ２の受信出力をビデオ信号再生系２へ供給せしめる。これに同期してサンプリングタイミング信号が発生し、Ａ／Ｄ変換器５１０は、アンテナＡＮＴ２によって受信されたコンポジットビデオ信号をサンプルすることとなる。したがって、Ａ／Ｄ変換器５１０は、アンテナＡＮＴ２によって受信されたコンポジットビデオ信号のペデスタルレベルをサンプルして、対応するディジタル信号を出力することとなる（※２参照）。評価回路５１１は、このアンテナＡＮＴ２によるＡ／Ｄ変換器５１０の出力ディジタル信号を取り込み、先に記憶しておいたアンテナＡＮＴ１によるディジタル信号の値と比較する。評価回路５１１は、かかる比較の結果、値の大なるディジタル信号を判別し、当該値の大なるディジタル信号の値のみをそれに対応するアンテナの識別データに関連付けて内部メモリに記憶する。
【００４２】
アンテナＡＮＴ２の評価が終わると、タイミング生成／アンテナ指定回路５１２は、切換信号ＳＥＬ１をオン、切換信号ＳＥＬ２をオフ、切換信号ＳＥＬ３をオフ、切換信号ＳＥＬ４をオフとしてＱＶバルス発生前に選択していたアンテナ（この場合ＡＮＴ１）の選択状態に戻す。
その後、タイミング生成／アンテナ指定回路５１２は、同様に次の切換タイミングをもって、短時間切換信号ＳＥＬ１をオフ、切換信号ＳＥＬ２をオフ、切換信号ＳＥＬ３をオン、切換信号ＳＥＬ４をオフとし、切替器１をしてアンテナＡＮＴ３の受信出力をビデオ信号再生系２へ供給せしめるようにする。これに同期してサンプリングタイミング信号が発生し、Ａ／Ｄ変換器５１０は、アンテナＡＮＴ３によって受信されたコンポジットビデオ信号をサンプルすることとなる。したがって、Ａ／Ｄ変換器５１０は、アンテナＡＮＴ３によって受信されたコンポジットビデオ信号のペデスタルレベルをサンプルして、対応するディジタル信号を出力することとなる（※３参照）。評価回路５１１は、このアンテナＡＮＴ３によるＡ／Ｄ変換器５１０の出力ディジタル信号を取り込み、先に記憶しておいたディジタル信号の値と比較する。評価回路５１１は、かかる比較の結果、値の大なるディジタル信号を判別し、当該値の大なるディジタル信号の値のみをそれに対応するアンテナの識別データに関連付けて内部メモリに記憶する。
【００４３】
アンテナＡＮＴ３の評価が終わると、タイミング生成／アンテナ指定回路５１２は、切換信号ＳＥＬ１をオン、切換信号ＳＥＬ２をオフ、切換信号ＳＥＬ３をオフ、切換信号ＳＥＬ４をオフとして出力ＱＶパルス発生前に選択していたアンテナの選択状態に再び戻す。
ＡＮＴ４のペデスタルレベルのサンプリング処理も同様に行われる。タイミング生成／アンテナ指定回路５１２は、同様に次の切換タイミングをもって、短時間切換信号ＳＥＬ１ないしＳＥＬ４をそれぞれオフ、オフ、オフ、オンとし、切替器１をしてアンテナＡＮＴ４の受信出力をビデオ信号再生系２へ供給せしめるようにする。これに同期してサンプリングタイミング信号が発生し、Ａ／Ｄ変換器５１０は、アンテナＡＮＴ４によって受信されたコンポジットビデオ信号をサンプルすることとなる。したがって、Ａ／Ｄ変換器５１０は、アンテナＡＮＴ４によって受信されたコンポジットビデオ信号のペデスタルレベルをサンプルして、対応するディジタル信号を出力することとなる（※４参照）。評価回路５１１は、このアンテナＡＮＴ４によるディジタル信号を取り込み、先に記憶しておいたディジタル信号の値と比較し、その結果、値の大なる方を判別し、当該値の大なるディジタル信号の値のみをそれに対応するアンテナの識別データに関連付けて内部メモリに記憶する。
【００４４】
アンテナＡＮＴ４によるディジタル信号に基づく評価が終わると、タイミング生成／アンテナ指定回路５１２は、切換信号ＳＥＬ１をオン、切換信号ＳＥＬ２をオフ、切換信号ＳＥＬ３をオフ、切換信号ＳＥＬ４をオフとして出力ＱＶバルス発生前に選択していたアンテナの選択状態に再び戻す。
かくして４本のアンテナ各々のペデスタルレベルのサンプリング処理が終了すると、評価回路５１１の内部メモリには、アンテナＡＮＴ１ないしＡＮＴ４のうちで最も受信レベルの高いアンテナによって受信されたコンポジットビデオ信号のペデスタルレベルの値が、対応するアンテナ識別データとともに記憶されていることになる。
【００４５】
評価回路５１１は、かかる内部メモリの内容を参照し、記憶されたアンテナ識別データに対応するアンテナを選択するようタイミング生成／アンテナ指定回路５１２に指示を与える。例えば、かかる最終的な評価の結果、最も受信レベルの高いアンテナがアンテナＡＮＴ３であることが判明した場合には、評価回路５１１は、アンテナＡＮＴ３の識別データをタイミング生成／アンテナ指定回路５１２に送り、タイミング生成／アンテナ指定回路５１２は、次の切換タイミングをもって、切換信号ＳＥＬ３のみをオンとする。これにより、切替器１は、アンテナＡＮＴ３の受信出力をビデオ信号再生系２へ供給せしめてアンテナ選定処理を完了し、以降、次のＱＶパルスが入力されない限り、かかるアンテナＡＮＴ３の選択を継続する。
【００４６】
再びＱＶパルスが発せられた場合には、上述した４回のサンプリング処理を、今度はアンテナＡＮＴ３を起点として行ってアンテナ選定を遂行することとなる。
なお、上述した例では、サンプリング処理の度に評価回路５１１の内部メモリをその時最も値の大きいディジタル信号にて更新するようにしているが、各サンプリング処理において得られるディジタル信号の値を全て記憶しておき、最後のサンプリング処理の終了後にそれまで記憶した各値を比較し、その中から最も値の大きいディジタル信号の値を判別するようにしても良いことは勿論である。
【００４７】
かくして本実施例では、指定されたテレビジョン方式が変更されても、アンテナ選定処理の起動信号たるＱＶパルスを、コンポジットビデオ信号の垂直同期信号終端に対して常に一定のタイミングで発生させることができる。よってＱＶパルス発生以降の各処理を共用化することができる。
なお、上記実施例においては、コンポジットビデオ信号のレベル検出に基づいて受信アンテナを切り替える空間ダイバーシティ動作を挙げたが、他のダイバーシティ動作に適用しても良い。
【００４８】
さらに、上記実施例において、図３、図４に挙げた構成はハードウェアによるものであるが、これに限らず、マイクロコンピュータによって実行させるソフトウェアによっても等価な構成を実現することもできる。
この他にも、上記実施例においては種々の手段を限定的に説明したが、当業者の設計可能な範囲にて適宜改変することも可能である。
【００４９】
【発明の効果】
以上詳述したように、本発明によれば、各テレビジョン方式のビデオフォーマット信号に適合した動作を行うことのできるテレビジョン受信機を容易に提供することができ、部品や製造工程の共用化を図ることができる。
【図面の簡単な説明】
【図１】本発明の一実施例によるダイバーシティ型テレビジョン受信機の概略的構成を示すブロック図である。
【図２】図１の受信機においてコンポジットビデオ信号から同期分離されて得られるＮＴＳＣ方式及びＰＡＬ方式コンポジット同期信号の各概略的形態を示すタイムチャートである。
【図３】図１の受信機におけるＱＶパルス生成回路５０の概略的構成を示すブロック図である。
【図４】図３のＱＶパルス生成回路５０の詳細な構成を示す回路図である。
【図５】図４の回路動作を説明するための当該回路各部の動作波形を示すタイムチャートである。
【図６】図１の受信機において制御部に形成されるアンテナ選定処理回路の基本的構成を示すブロック図である。
【図７】図６の回路動作を説明するための当該回路各部の動作を示すタイムチャートである。
【符号の説明】
ＡＮＴ1〜ＡＮＴ2  受信アンテナ
１  切替器
２  ビデオ信号再生系
２１  映像中間周波増幅器
２２  ＡＭ検波回路
２ｘ  ＣＲＴ
３  音声信号再生系
３１  音声中間周波増幅器
３２  ＦＭ検波回路
３Ａ  歪み検出回路
３ｘ  スピーカ
４０  クランプ回路
４１  波形整形回路
５  制御部
５s   ディップスイッチ
６０  ＬＰＦ
６１  位相比較器
６２  ＬＰＦ
６３  ＶＣＯ
６４  分周器
８１  反転回路
８２  ＬＰＦ
８３  レベル比較器
５０  ＱＶパルス生成回路
５１  垂直同期信号検出回路
５２  選択回路
５３，５４  遅延回路
５００〜５０３  Ｄ型フリップフロップ
５０４  ＡＮＤ回路
５０５  ＥＸ−ＯＲ回路
５０６  ＮＡＮＤ回路
５０７，５０８  ＮＯＴ回路
５０９  Ｄ型フリップフロップ段
５１０  Ａ／Ｄ変換器
５１１  評価回路
５１２  タイミング生成／アンテナ指定回路
【図１】
0003681146.tif 000002
【図２】
0003681146.tif 000003
【図３】
0003681146.tif 000004
【図４】
0003681146.tif 000005
【図５】
0003681146.tif 000006
【図６】
0003681146.tif 000007
【図７】
0003681146.tif 000008